(57)【特許請求の範囲】
【請求項１】
特定の領域に設置された各種センサからの信号に基づいて前記各種センサの状態の変化を検出すると、上位機器に対して該状態の変化に関する通知信号を送信する信号送信装置において、
前記通知信号を送信すると予め定めた通知間隔時間を計時するタイマと、
前記タイマの非計時中に前記状態の変化を検出すると該状態の変化に関する前記通知信号を送信し、前記タイマの計時中に検出された前記状態の変化を記憶手段に記憶させ、記憶させた状態の変化に関する前記通知信号を前記通知間隔時間の経過後に前記上位機器に対して送信する送信制御手段と、を備えたことを特徴とする信号送信装置。
【請求項２】
前記送信制御手段は、前記タイマの計時中に検出された前記状態の変化の検出時刻を前記記憶手段に記憶させ、その検出時刻をも前記通知間隔時間の経過後に前記上位機器に対して送信することを特徴とする請求項１に記載の信号送信装置。
【請求項３】
請求項１又は請求項２に記載の信号送信装置を複数備えたセキュリティシステムであって、
前記送信制御手段は、前記上位機器にて前記領域への侵入を許可する解除状態が設定されているときは前記タイマの計時に基づく処理を行い、前記上位機器にて前記領域への侵入を許可しないセット状態が設定されているときに前記状態の変化を検出すると該状態変化に関する通知信号を送信するセキュリティシステム。
【発明の詳細な説明】
【０００１】
【発明の属する技術分野】
本発明は、特定の領域に設置された各種センサからの信号に基づいて各種センサの状態の変化を検出すると、上位機器に対して該状態の変化に関する通知信号を送信する信号送信装置、およびその信号送信装置を複数備えてなるセキュリティシステムに関する。
【０００２】
【従来の技術】
図１１に、ビル内の各部屋に外部から侵入しようとする者を監視するとともに、各部屋の空調などを集中管理するためのシステムの一例を示す。この図１１において、部屋１正面のドア２には電気錠３が取り付けられており、その電気錠３はドア２の横に配置されている入室用のカードリーダ４によって駆動されるようになっている。カードリーダ４の脇にはテンキーリーダ５が配置され、上方にはＬＣＤパネルなどからなる表示器６が配置されている。また、部屋１正面の右上方には、非常時に点灯される非常用ランプ７が取り付けられている。
【０００３】
部屋１の天井には人体が発する赤外線を検知する空間センサ９、温度センサ１０および湿度センサ１１が取り付けられている。また、部屋１内の右奥上方側の隅には防犯カメラ１２が取り付けられている。これらセンサ９〜１１およびカメラ１２より出力される信号は、入力接点機器１３の入力接点にそれぞれ与えられている。
【０００４】
部屋１の右側部壁面には、エアコンディショナ（エアコン）１４が取り付けられており、このエアコン１４は、非常用ランプ７と共に出力接点機器１５の出力端子より制御信号が与えられるようになっている。
【０００５】
図１２に、システム全体のブロック構成を示す。カードリーダ４、テンキーリーダ５、表示器６、入力接点機器１３および出力接点機器１５は、何れも内部にＬＡＮの通信機能を有しており、必要に応じルータ１６を介して、例えばビル内の管理室等に設置されている監視または管理用のホスト１７と通信を行うようになっている。
【０００６】
また、カードリーダ４およびテンキーリーダ５の操作によって、電気錠３の解錠、施錠並びにホスト１７による監視状態（セキュリティシステム）のセット、解除が行われるようになっている。部屋１の監視状態がセットされている場合、正規に入室しようとする者は、カードリーダ４に各自が所持しているＩＤカードを差し込んでＩＤ情報を読み込ませると共に、テンキーリーダ５に所定の暗証番号を入力することでホスト１７による監視状態を解除させ、電気錠３を解錠させる。
【０００７】
昼間などにおいては、部屋１に多数の人間が出入りして所定の業務を行うが、その間において、温度センサ１０や湿度センサ１１より出力されるセンサ信号が変化する毎に、そのセンサ情報がデータパケットとして入力接点機器１３を介してホスト１７に送信される。ホスト１７は、送信されたセンサ信号に基づき、出力接点機器１５を介してエアコン１４に制御信号を送信し、部屋１内の空調制御を行う。
【０００８】
また、業務が終了して部屋１を最後に退出しようとする者は、カードリーダ４にＩＤカードを差し込んでホスト１７による監視状態をセットさせ、電気錠３を施錠させる。入力接点機器１３は、監視状態がセットされると、空間センサ９、温度センサ１０、湿度センサ１１および防犯カメラ１２の何れかの出力信号に変化が生じる毎に、その変化を通知するための信号（データパケット）をホスト１７に送信するようになっている。なお、防犯カメラ１２については、撮像している画像データに変化が生じると、その時点の静止画像データがホスト１７に送信される。
【０００９】
【発明が解決しようとする課題】
昼などの時間帯には、部屋１に対して多くの人が出入りするためドア２が開閉され、また、換気のために窓８が開け放たれる場合もあることから、部屋１内の温度や湿度、あるいは空間センサ９において検出される人体の有無は比較的頻繁に変化する。
【００１０】
図１３に、空間センサ９、温度センサ１０などのセンサ信号の出力変化の一例を示す。空間センサ９の場合には、信号の立上がり、立下がりが赤外線の検知、非検知に対応し、信号がハイレベルの期間は赤外線が連続して検出されている状態に対応する。また、温度センサ１０の場合には、信号の立上がり、立下がりが温度の上昇または下降の開始に対応し、信号がハイレベルの期間は温度の上昇または下降が連続して検出されている状態に対応する。従って、このように部屋１内の温度や湿度が変化する毎や、あるいは人体の赤外線が検出される毎にホスト１７に対して信号を送信すると、入力接点機器１３からの信号出力頻度はかなり高くなる。そして、ビル内の他の部屋についても同様の監視、管理体制が取られていると、トータルでホスト１７に対する信号の送信回数はかなりの数となる。
【００１１】
また、入力接点機器１３は、自身の送信が失敗したと判定した場合に、再度送信を試みるようになっている。このため、上述したようにネットワークの負荷が重い状態でホスト１７側からの応答（確認パケットの送信）が遅れると、入力接点機器１３は、実際には送信が成功しているにもかかわらず再送処理を行ってしまう場合がある。さらに、ホスト１７も出力接点機器１５に対して信号の送信等を行う。その結果、有効な通信がほとんど行われなくなって、ネットワークが、いわゆる輻輳状態に陥るおそれがある。
【００１２】
なお、エアコン１４の制御を行うことなく、セキュリティが解除されている状態でセンサ９〜１１および防犯カメラ１２による信号の変化をホスト１７側でモニタするシステム（例えば、センサ９〜１１等が機能しているかどうかをチェックするシステム、あるいは美術館に展示されている絵画などを盗難防止のため監視しているシステム）の場合にも、上記した問題は同様に生じる。
【００１３】
このような問題を回避するためには、例えば、ホスト１７側が所定時間毎に各入力接点機器１３に対して送信許可を与え、送信許可を受信した入力接点機器１３に順次送信を行わせることが考えられる。しかし、この場合には、ホスト１７側で通信管理を行うための制御が複雑となってしまう。
【００１４】
また、ホスト１７より指定された送信許可タイミングでは、対象となる入力接点機器１３で状態の変化が生じておらず、逆に他の入力接点機器１３で状態の変化が生じていることが起こり得る。従って、通信の冗長性が大きくなり過ぎることが懸念されると共に、観測すべき状態の変化を捉え損なうおそれがある。
【００１５】
本発明は上記問題に鑑みてなされたもので、その目的は、上位機器との間における通信トラフィックを効率的に削減することができる信号送信装置、およびその信号送信装置を複数備えてなるセキュリティシステムを提供することにある。
【００１６】
【課題を解決するための手段】
請求項１に記載の信号送信装置によれば、送信制御手段は、タイマの非計時中に各種センサの状態の変化を検出すると上位機器に対して該状態の変化に関する通知信号を送信し、タイマの計時中に検出された前記状態の変化を記憶手段に記憶させる。そして、通知間隔時間が経過すると、記憶手段に記憶させた前記状態の変化に関する通知信号を上位機器に対して送信する。
【００１７】
すなわち、上位機器に対する通知信号の送信は多くとも通知間隔時間毎に行われるようになるので、送信頻度を大きく低下させることができる。従って、各種センサの数が多く、加えて、多数の信号送信装置が存在するような通信ネットワークにおいても、そのトラフィックが著しく上昇することを回避できる。そして、通知間隔時間の経過中に検出した新たな状態の変化に関する情報は、その時間経過後に一括して上位機器に送信することが可能であるから、上位機器側において各種センサの状態変化を監視する場合でも監視レベルの低下を極力抑制することができる。
【００１８】
請求項２に記載の信号送信装置によれば、送信制御手段は、タイマの計時中に検出された状態の変化の検出時刻を記憶手段に記憶させ、その検出時刻をも上位機器に対して送信するので、上位機器側は、通知間隔時間の経過中に発生した各各種センサの状態変化が実際にはどの時刻に生じていたのかを正確に把握することができる。
【００１９】
請求項３に記載の信号送信装置によれば、請求項１又は請求項２に記載の信号送信装置を複数備えたセキュリティシステムであって、送信制御手段は、上位機器にて前記領域への侵入を許可する解除状態が設定されているときはタイマの計時に基づく処理を行い、上位機器にて前記領域への侵入を許可しないセット状態が設定されているときに前記状態の変化を検出すると該状態変化に関する通知信号を送信するセキュリティシステムを提供することができる。
【００２５】
【発明の実施の形態】
（第１実施形態）
以下、本発明をセキュリティシステム、およびエアコンの制御システムに適用した場合の第１実施形態について図１乃至図４を参照して説明する。なお、図１１および図１２と同一部分には同一符号を付して説明を省略し、以下異なる部分について説明する。
【００２６】
この実施形態におけるネットワークシステム２０は、図４に示すように、図１２に示す入力接点機器１３が入力接点機器２１に置き換わったものとなっている。
【００２７】
図３に、入力接点機器２１の内部構成を示す。入力接点機器２１の入力接点２１ａ〜２１ｄには、空間センサ９、温度センサ１０、湿度センサ１１および防犯カメラ１２の出力信号が与えられており、それらの出力信号は制御部（送信制御手段）２２の入力ポートに入力されている。また、制御部２２は、通信部２３を介してホスト（上位機器）１７との通信を行うようになっている。なお、この実施形態では、防犯カメラ１２をセンサの一種（画像センサ）として取り扱っている。
【００２８】
図１に、制御部２２の制御処理を示し、図２に、その制御処理に基づく検出情報の送信パターンの一例を示す。
【００２９】
制御部２２は、センサ９〜１２の何れかの出力信号レベルが変化するまで待機状態となっている（ステップＳ１）。何れかの出力信号レベルが変化すると（図２▲１▼参照）、ステップＳ１の判定がＹＥＳになり、その検出情報をホスト１７に通知信号として送信する（ステップＳ２）。ここで、検出情報とは、出力信号レベルが変化したセンサの種類、その信号の変化レベルからなる状態の変化に関する情報、および変化を検出した検出時刻などからなる。
【００３０】
続いて、部屋１についてセキュリティシステムがセットされているか否かを判定し（ステップＳ３）、セットされている場合はステップＳ３の判定がＹＥＳになってステップＳ１に戻る。従って、セキュリティシステムがセットされている場合は、センサ９〜１２の何れかの出力信号レベルが変化する毎に検出情報がホスト１７に送信される。このことにより、ホスト１７による監視レベルを高めることができ、盗難等を未然に防止することができる。
【００３１】
なお、セキュリティシステムのセット、解除は、部屋１の最終退出者がシステムをセットした場合、部屋１に最初に入室しようとする者がシステムを解除した場合に、ホスト１７から入力接点機器２１に報知される情報に基づいて判定することができる。
【００３２】
また、セキュリティシステムがセットされていない場合は、ステップＳ３の判定がＮＯになり、タイマ２２ａ（制御部２２に内蔵されているタイマあるいはソフトウエアタイマ）をスタートさせて計時を開始する（ステップＳ４）。
【００３３】
この後、センサ９〜１２の何れかについてセンサ信号の変化があるか否かを判定し（ステップＳ５）、センサ信号の変化がないと、通知間隔時間Ｔ１が経過したか否かを判定する（ステップＳ６）。通知間隔時間Ｔ１が経過する前に、センサ９〜１２の何れかについてセンサ信号の変化があると、ステップＳ５の判定がＹＥＳになり、そのセンサの出力情報を内部のメモリ（記憶手段）２２ｂに記憶させる（ステップＳ７）。なお、通知間隔時間Ｔ１は、例えば１分〜数分程度に設定されている。
【００３４】
従って、ステップＳ５〜Ｓ６の処理を繰り返している間に、図２の時点▲２▼〜▲６▼のようにセンサ信号に変化が生じた場合には、その変化について直ちにホスト１７に通知されることなく、ステップＳ７において出力情報がメモリ２２ｂに記憶される。
【００３５】
この後、通知間隔時間Ｔ１が経過しステップＳ６の判定がＹＥＳになると、メモリ２２ｂに記憶されたセンサの出力情報があるか否かを判定する（ステップＳ８）。出力情報があると、ステップＳ８の判定がＹＥＳになり、メモリ２２ｂに記憶された情報に基づく検出情報をホスト１７に送信する（ステップＳ９、図２▲７▼参照）。すなわち、図２の時点▲２▼〜▲６▼において発生したセンサ出力情報が、検出情報としてホスト１７にまとめて送信される。それからステップＳ４に戻り、タイマ２２ａによる計時を再度スタートさせる。
【００３６】
ステップＳ９からステップＳ４に移行した後、図２の時点▲７▼〜▲８▼に示すようにセンサの出力状態が全く変化することなく通知間隔時間Ｔ１が経過した場合は、ステップＳ８においてその判定がＮＯになり、ステップＳ１に移行することになる。従って、この場合は、ホスト１７に対する検出情報の送信は行われない（図２▲８▼参照）。
【００３７】
この後、図２の時点▲９▼においてセンサの出力状態変化が発生すると、再びステップＳ１の判定がＹＥＳになり、ステップＳ２でホスト１７に対する情報の送信を行い、上述した処理を行う。なお、タイマ２２ａの計時中にセキュリティシステムがセットされた場合は、直ちにメモリに記憶されたセンサ出力情報を送信してスタートに戻るようにする。
【００３８】
以上述べたようにこの実施形態によれば、セキュリティシステムまたはエアコン１４の集中管理システムの端末装置として用いられる入力接点機器２１の入力接点２１ａ〜２１ｄにセンサ９〜１２の出力信号を与えて、制御部２２は、入力接点２１ａ〜２１ｄの何れかについてセンサ９〜１２の状態変化を検出すると、ホスト１７に対して検出情報を１回送信する。そして、その時点から通知間隔時間Ｔ１が経過するまでにセンサ９〜１２の何れかについて新たな状態変化を検出した場合は、その状態変化をメモリ２２ｂに記憶させ、通知間隔時間Ｔ１が経過すると、メモリ２２ｂに記憶させた情報をホスト１７に送信する。
【００３９】
このことにより、ホスト１７に対する信号の送信は多くとも通知間隔時間Ｔ１毎に行われるようになり、送信頻度を大きく低下させることができる。従って、セキュリティシステムの端末装置のようにそれぞれの入力接点数が多く、多数の入力接点機器２１が存在するネットワークシステム２０においても、そのトラフィックが著しく上昇して輻輳状態に陥るのを回避することができる。そして、通知間隔時間Ｔ１の経過中に検出した新たな状態変化に関する情報は、通知間隔時間Ｔ１の経過後に一括してホスト１７に送信されるので、ホスト１７における監視レベルの低下を極力抑制することができる。
【００４０】
また、制御部２２は、通知間隔時間Ｔ１が経過する間に検出されたセンサ９〜１２の状態変化の検出時刻をメモリ２２ｂに記憶させ、その検出時刻をもホスト１７に送信しているので、ホスト１７は、通知間隔時間Ｔ１の経過中に発生した状態変化が実際にはどの時刻に生じていたのかを正確に把握することができる。
【００４１】
さらに、この実施形態によれば、制御部２２は、セキュリティシステムが解除されている特定の時間帯にだけ通知間隔時間Ｔ１の設定に伴う処理を行っている。従って、部屋１内で多数の人間が業務を行っている昼間等においては、センサ９〜１２の信号変化頻度が高く、ホスト１７により厳密な監視を行う必要性が低いため、通知間隔時間Ｔ１を設定して信号の送信回数を低減することができる。一方、セキュリティシステムがセットされている夜間等においては、ホスト１７は、監視レベルを高めて盗難等を未然に防止するため、センサ９〜１２の信号変化の詳細を確実に捉えることができる。
（第２実施形態）
図５に、本発明の第２実施形態における制御部２２の制御処理を示し、図６に、その制御処理に基づく検出情報の送信パターンの一例を示す。なお、第１実施形態と同一部分には同一符号を付して説明を省略し、以下異なる部分について説明する。
【００４２】
この第２実施形態では、制御部２２は、センサ９〜１２の何れかの出力信号レベルが変化するまで待機状態となっている（ステップＳ１）。何れかの出力信号レベルが変化すると、ステップＳ１の判定がＹＥＳになり、タイマ２２ａをスタートさせて計時を開始する（ステップＳ４）。
【００４３】
この後、ステップＳ１で信号の変化を検出したセンサとは異なる他のセンサについて出力信号レベルが変化したか否かを判定し（ステップＳ１０）、他のセンサについて出力信号レベルが変化していないときは、検出間隔時間Ｔ２が経過したか否かを判定する（ステップＳ１１）。ここで、検出間隔時間Ｔ２は、例えば数秒〜数十秒程度に設定されている。
【００４４】
そして、他のセンサについて出力信号レベルが変化することなく検出間隔時間Ｔ２が経過すると、ステップＳ１１の判定がＹＥＳになり、ステップＳ１に戻る。この場合、ステップＳ１で信号の変化を検出したセンサの出力状態変化はホスト１７に送信されない。
【００４５】
また、検出間隔時間Ｔ２が経過する前に、他のセンサについて出力信号レベルが変化すると、ステップＳ１０の判定がＹＥＳになり、ステップＳ１およびステップＳ１０で信号の変化を検出したセンサの検出情報をホスト１７に送信し（ステップＳ１２）、ステップＳ４に戻る。
【００４６】
上記した制御処理により、例えば、図６の時点▲１▼においてセンサＡの出力状態が変化しても、その後に他のセンサについて出力信号レベルが変化することなく検出間隔時間Ｔ２が経過した場合には、時点▲１▼におけるセンサＡの出力状態変化はホスト１７に送信されない。これは、センサＡだけに状態の変化が発生した場合、その変化は一時的または局所的なものと想定されるため、ホスト１７に対して通知を行う必要性は比較的低いと考えられるからである。
【００４７】
また、例えば、図６の時点▲３▼においてセンサＢの出力状態が変化し、検出間隔時間Ｔ２が経過する前に時点▲４▼でセンサＡの出力状態変化を検出すると、制御部２２は、センサＡ、Ｂの検出情報をホスト１７に送信する。これは、センサＢ（例えば、空間センサ９）における状態変化の発生後、略同時期と見做すことができる検出間隔時間Ｔ２以内に、他のセンサＡ（例えば、温度センサ１０）についても状態の変化が発生した場合は、その状態変化はある程度の規模で確実に生じていると想定されるからである。
【００４８】
従って、この第２実施形態によれば、制御部２２は、センサ９〜１２に関する状態変化が２つ以上同時に発生し、部屋１における状態変化がある程度の規模で確実に生じていると想定される場合に、ホスト１７に対して検出情報を送信するので、信号の送信頻度を効率的に削減することができる。
（第３実施形態）
図７、図８に、本発明の第３実施形態における制御部２２の制御処理を示し、図９、図１０に、その制御処理に基づく検出情報の送信パターンの一例を示す。この第３実施形態における制御部２２の制御処理は、第２実施形態と第１実施形態とを組み合わせたものとなっている。
【００４９】
この実施形態では、第１実施形態で説明した通知間隔時間Ｔ１を計時するタイマを通知間隔タイマとし、第２実施形態で説明した検出間隔時間Ｔ２を計時するタイマを検出間隔タイマとして説明する。これらのタイマとしては、制御部２２に内蔵されているタイマあるいはソフトウエアタイマが用いられる。
【００５０】
以下、この実施形態を、第１、第２実施形態と同一部分には同一符号を付し、第１、第２実施形態と異なる部分を中心にして説明する。
【００５１】
制御部２２は、処理を開始すると、まず、センサ９〜１２の何れかの出力信号レベルが変化するまで待機状態となっている（ステップＳ１）。何れかの出力信号レベルが変化すると、ステップＳ１の判定がＹＥＳになり、検出間隔タイマをスタートさせて計時を開始する（ステップＳ４）。
【００５２】
この後、ステップＳ１で信号の変化を検出したセンサとは異なる他のセンサについて出力信号レベルが変化したか否かを判定し（ステップＳ１０）、他のセンサについて出力信号レベルが変化していないときは、検出間隔時間Ｔ２が経過したか否かを判定する（ステップＳ１１）。
【００５３】
そして、他のセンサについて出力信号レベルが変化することなく検出間隔時間Ｔ２が経過すると、ステップＳ１１の判定がＹＥＳになり、ステップＳ１に戻る。この場合、ステップＳ１で信号の変化を検出したセンサの出力状態変化はホスト１７に送信されない。
【００５４】
従って、例えば、図９（ａ）に示すように、時点▲１▼においてセンサＡの出力状態が変化しても、その後に他のセンサについて出力信号レベルが変化することなく検出間隔時間Ｔ２が経過した場合には、時点▲１▼におけるセンサＡの出力状態変化はホスト１７に送信されない。
【００５５】
また、検出間隔時間Ｔ２が経過する前に、他のセンサについて出力信号レベルが変化すると、ステップＳ１０の判定がＹＥＳになり、ステップＳ１およびステップＳ１０で信号の変化を検出したセンサの検出情報をホスト１７に送信する（ステップＳ１２）。この後、検出間隔タイマをストップさせ（ステップＳ１３）、続いて第１実施形態と同様、セキュリティシステムがセットされているか否かを判定し（ステップＳ１４）、セットされている場合はステップＳ１４の判定がＹＥＳになってステップＳ１に戻る。
【００５６】
従って、セキュリティシステムがセットされている場合は、第２実施形態と同様、センサ９〜１２に関する状態変化が２つ以上同時に発生する毎に、ホスト１７に対して検出情報が送信される。
【００５７】
また、セキュリティシステムがセットされていない場合は、ステップＳ１４の判定がＮＯになり、図８のステップＳ１５に進んで通知間隔タイマをスタートさせる。
【００５８】
この後、センサ９〜１２の何れかについてセンサ信号の変化があるか否かを判定し（ステップＳ１６）、センサ信号の変化がないと、通知間隔時間Ｔ１が経過したか否かを判定する（ステップＳ１７）。センサ９〜１２の何れかのセンサ信号が変化することなく通知間隔時間Ｔ１が経過すると、ステップＳ１７の判定がＹＥＳになり、図７のステップＳ１に戻る。
【００５９】
従って、例えば、図９（ｂ）に示すように、時点▲１▼においてセンサＡの出力状態が変化し、検出間隔時間Ｔ２が経過する前に時点▲２▼でセンサＢの出力状態変化を検出すると、制御部２２は、センサＡ、Ｂの検出情報をホスト１７に送信するが、その時点からセンサ９〜１２の何れかのセンサ信号が変化することなく通知間隔時間Ｔ１が経過した場合には、ステップＳ１に戻り、ステップＳ１からの処理を再度を行うことになる。
【００６０】
また、通知間隔時間Ｔ１が経過する前にセンサ９〜１２の何れかのセンサ信号が変化すると、ステップＳ１６の判定がＹＥＳになり、検出間隔タイマをスタートさせる（ステップＳ１８）。
【００６１】
この後、ステップＳ１６で信号の変化を検出したセンサとは異なる他のセンサについて出力信号レベルが変化したか否かを判定し（ステップＳ１９）、他のセンサについて出力信号レベルが変化していないときは、検出間隔時間Ｔ２が経過したか否かを判定する（ステップＳ２０）。
【００６２】
そして、他のセンサについて出力信号レベルが変化することなく検出間隔時間Ｔ２が経過すると、ステップＳ２０の判定がＹＥＳになり、次に通知間隔時間Ｔ１が経過したか否かを判定する（ステップ２１）。通知間隔時間Ｔ１が経過していないときはステップＳ１６に戻る。そして、センサ９〜１２に関する状態変化が検出間隔時間Ｔ２内で２つ以上同時に発生するがことなく、通知間隔時間Ｔ１が経過すると、ステップＳ１に戻る。
【００６３】
従って、例えば、図１０（ａ）に示すように、時点▲１▼においてセンサＡの出力状態が変化し、検出間隔時間Ｔ２が経過する前に時点▲２▼でセンサＢの出力状態変化を検出すると、制御部２２は、センサＡ、Ｂの検出情報をホスト１７に送信するが、この送信後、時点▲３▼でセンサＡの出力状態が変化しても、検出間隔時間Ｔ２が経過する前に他のセンサについて出力信号レベルが変化しない場合は、通知間隔時間Ｔ１が経過すると、時点▲３▼におけるセンサＡの出力状態変化がホスト１７に送信されず、ステップＳ１からの処理を再度を行うことになる。
【００６４】
また、ステップＳ１９で他のセンサの出力信号レベルが変化したことを判定すると、ステップＳ１６とステップＳ１９で信号の変化を検出したセンサの検出情報を、第１実施形態と同様、メモリ２２ｂに記憶させる（ステップＳ１９）。その後、検出間隔タイマをストップさせ（ステップＳ２３）、通知間隔時間Ｔ１が経過したか否かを判定する（ステップＳ２４）。そして、通知間隔時間Ｔ１が経過すると、メモリ２２ｂに記憶させた検出情報をホスト１７に送信し（ステップＳ２５）、ステップＳ１５に戻る。
【００６５】
従って、例えば、図１０（ｂ）に示すように、時点▲１▼においてセンサＡの出力状態が変化し、検出間隔時間Ｔ２が経過する前に時点▲２▼でセンサＢの出力状態変化を検出すると、制御部２２は、センサＡ、Ｂの検出情報をホスト１７に送信し、この送信後、時点▲３▼でセンサＡの出力状態が変化し、時点▲４▼でセンサＢの出力状態変化を検出すると、時点▲３▼、▲４▼におけるセンサＡ、Ｂの検出情報をメモリ２２ｂに記憶させ、通知間隔時間Ｔ１が経過した時点▲５▼でホスト１７に送信する。
【００６６】
従って、この第３実施形態によれば、制御部２２は、センサ９〜１２に関する状態変化が２つ以上同時に発生し、部屋１における状態変化がある程度の規模で確実に生じていると想定される場合に、ホスト１７に対して検出情報を送信するという第２実施形態と同様の作用効果を奏するととともに、ホスト１７に対して検出情報を１回送信した後に、その時点から通知間隔時間Ｔ１が経過するまでにホスト１７に送信すべき新たな状態変化を検出した場合は、その状態変化をメモリ２２ｂに記憶させ、通知間隔時間Ｔ１が経過すると、メモリ２２ｂに記憶させた情報をホスト１７に送信するという第１実施形態と同様の作用効果を奏する。
【００６７】
なお、本発明は、上記した第１ないし第３実施形態にのみ限定されるものではなく、次のような変形または拡張が可能である。
【００６８】
第１実施形態において、ステップＳ３を削除し、常に送信間隔時間Ｔ１を設定してもよい。
【００６９】
第２、第３実施形態において、検出間隔時間Ｔ２内にセンサ９〜１２の内３つ以上について状態変化が発生した場合に、ホスト１７に検出情報を送信するようにしてもよい。
【００７０】
セキュリティシステム、エアコン１４の集中管理システムの何れか一方のみについて適用してもよい。
【００７１】
また、これらのシステムに限らず、例えば、信号送信装置の入力接点に、リレー接点の開閉に伴うハイレベル、ローレベルの２値信号を与え、機械装置などの制御状態を上位機器に送信して集中制御するものでもよい。
【図面の簡単な説明】
【図１】本発明をセキュリティシステムおよびエアコンの制御システムに適用した第１実施形態における制御部の制御処理を示すフローチャートである。
【図２】図１の制御処理に基づく検出情報の送信パターンの一例を示すタイミングチャートである。
【図３】本発明の第１実施形態における入力接点機器の内部構成を示す機能ブロック図である。
【図４】本発明の第１実施形態におけるシステムの全体構成を示す図である。
【図５】本発明の第２実施形態における制御部の制御処理を示すフローチャートである。
【図６】図５の制御処理に基づく検出情報の送信パターンの一例を示すタイミングチャートである。
【図７】本発明の第３実施形態における制御部の制御処理を示すフローチャートである。
【図８】図７に続く制御処理を示すフローチャートである。
【図９】図７、図８の制御処理に基づく検出情報の送信パターンの一例を示すタイミングチャートである。
【図１０】図７、図８の制御処理に基づく検出情報の送信パターンの一例を示すタイミングチャートである。
【図１１】セキュリティおよびエアコンの集中管理システムの一部である部屋の内部を透視して示す斜視図である。
【図１２】従来のシステムの全体構成を示す図である。
【図１３】センサ信号の出力変化の一例を示す図である。
【符号の説明】
９…空間センサ、１０…温度センサ、１１…湿度センサ、１２…防犯カメラ、
１７…ホスト（上位機器）、２０…ネットワークシステム、
２１…入力接点機器（信号送信装置、端末装置）、
２１ａ〜２１ｄ…入力接点、２２…制御部（送信制御手段）、
２２ｂ…メモリ（記憶手段）。
【図１】
0003757791.tif 000002
【図２】
0003757791.tif 000003
【図３】
0003757791.tif 000004
【図４】
0003757791.tif 000005
【図５】
0003757791.tif 000006
【図６】
0003757791.tif 000007
【図７】
0003757791.tif 000008
【図８】
0003757791.tif 000009
【図９】
0003757791.tif 000010
【図１０】
0003757791.tif 000011
【図１１】
0003757791.tif 000012
【図１２】
0003757791.tif 000013
【図１３】
0003757791.tif 000014